(57)【要約】  【課題】  過酸化水素の安定性に優れ、過酸化水素に由来するガスの発生を防止する性能に優れる液体漂白洗浄剤組成物の提供。  【解決手段】  （ａ）過酸化水素又は水中で過酸化水素を生成する化合物、及び（ｂ）一般式（１）で表される４級アンモニウム塩を含有し、組成物中の（ｂ）成分の含有量が０．１〜１０質量％であり、２０℃におけるｐＨが４．０〜７．０である液体漂白洗浄剤組成物。【化１】2007039595.tif 000010［式中、Ｒ11は、フェニル基を１個有する炭化水素基又は炭素数１〜６の脂肪族炭化水素基、Ｒ12、Ｒ13及びＲ14はアルキル基である。但し、Ｒ11、Ｒ12、Ｒ13及びＲ14の総炭素数は１５以下である。Ｘ-は、ハロゲンイオン若しくは炭素数１〜３のアルキル硫酸イオンである。］【選択図】  なし【特許請求の範囲】
【請求項１】
下記（ａ）成分及び（ｂ）成分を含有し、組成物中の（ｂ）成分の含有量が０．１〜１０質量％であり、２０℃におけるｐＨが４．０〜７．０である液体漂白洗浄剤組成物。
（ａ）過酸化水素又は水中で過酸化水素を生成する化合物
（ｂ）一般式（１）で表される４級アンモニウム塩
【化１】
2007039595.tif 000009
［式中、Ｒ11は、フェニル基を１個有する炭化水素基又は炭素数１〜６の直鎖若しくは分岐鎖の脂肪族炭化水素基であり、Ｒ12、Ｒ13及びＲ14は、それぞれ独立に、直鎖又は分岐鎖のアルキル基である。但し、Ｒ11、Ｒ12、Ｒ13及びＲ14の総炭素数は１５以下である。Ｘ-は、ハロゲンイオン若しくは炭素数１〜３のアルキル硫酸イオンである。］
【請求項２】
更に、（ｃ）成分として漂白活性化剤を含有する請求項１記載の液体漂白洗浄剤組成物。
【請求項３】
更に、（ｄ）成分としてホウ酸、ホウ砂及びホウ酸塩から選ばれる少なくとも１種の化合物、並びに（ｅ）成分として隣合う炭素原子の両方にそれぞれ１つヒドロキシル基を有する部位が１つ以上存在する化合物を含有し、（ｅ）成分／（ｄ）成分のモル比が１．５〜２．７である請求項１又は２記載の液体漂白洗浄剤組成物。
【請求項４】
更に、（ｆ）成分としてホスホン酸基又はその塩基を有する金属イオン封鎖剤を含有する請求項１〜３何れか記載の液体漂白洗浄剤組成物。
【請求項５】
更に、（ｇ）成分として、（ｂ）成分以外の界面活性剤を含有する請求項１〜４何れか記載の液体漂白洗浄剤組成物。
【請求項６】
（ｇ）成分の界面活性剤が、非イオン性界面活性剤である請求項５記載の液体漂白洗浄剤組成物。
【請求項７】
非イオン性界面活性剤が、オキシエチレン基及びオキシプロピレン基を有するポリオキシアルキレンアルキルエーテル型非イオン性界面活性剤である請求項６記載の液体漂白洗浄剤組成物。
【発明の詳細な説明】
【技術分野】
【０００１】
本発明は、液体漂白洗浄剤組成物に関する。
【背景技術】
【０００２】
液体洗浄剤は、粉末洗浄剤と比較すると水への溶け残りがほとんどないことから簡便性に優れているが、液中の内容成分や液感を安定に保つことは困難であるため、組成物や配合条件において多くの規制がある。
【０００３】
その中で、洗浄力だけではなくその他の性能を持った液体洗浄剤の開発が行われており、陽イオン性界面活性剤を配合することによって衣類に対する柔軟化効果や衣料のケア効果を付与した液体洗浄剤が特許文献１〜３に開示されている。
【０００４】
しかし、液体洗浄剤に漂白基剤を配合した場合、液体洗浄剤は洗浄力の面から通常中性からアルカリ性の高ｐＨ領域に調整されているため、一般的に高ｐＨ領域において不安定である漂白基剤は分解が促進されて漂白剤としての品質が低下するほか、ガスが発生し容器の内圧上昇により容器の変形が生じることから、漂白効果を付与することは困難である。
【０００５】
漂白基剤として過酸化水素が配合されている液体漂白剤はすでに広く知られており、特許文献４〜６などに開示されている。液体漂白剤は、過酸化水素の安定性の面から、ｐＨが酸性に調整されているのが一般的である。酸性に調整した液体漂白剤は過酸化水素及び漂白活性化剤の安定性が不十分であり、特に高温貯蔵時の安定性が不十分であるという問題があった。このため、従来より、過酸化水素の安定性を向上させる検討が成されており、特許文献７〜９にはアンモニアやフェノール誘導体などの過酸化水素安定化剤を配合した液体漂白剤が開示されている。しかし、これらの特許文献７〜９は全て液体漂白剤についての記載に限られる。
【特許文献１】特開平１０-６０４７６号公報
【特許文献２】特開２００２−２４９７９９号公報
【特許文献３】特開２００５−１５４５０５号公報
【特許文献４】米国特許第４２３８１９２号明細書
【特許文献５】特開平６−２０７１９６号公報
【特許文献６】特開平３−１１５３９９号公報
【特許文献７】特開昭４９−５２７８４号公報
【特許文献８】特開昭５５−１０８５００号公報
【特許文献９】特開平１１−５００９９号公報
【発明の開示】
【発明が解決しようとする課題】
【０００６】
本発明の課題は、過酸化水素の安定性に優れ、過酸化水素に由来するガスの発生を防止する性能に優れる液体漂白洗浄剤組成物を提供することにある。
【課題を解決するための手段】
【０００７】
本発明者らは、特定の短鎖アルキル４級アンモニウム塩を特定割合で含有する液体漂白洗浄剤組成物が、上記課題を解決できることを見出した。
【０００８】
即ち、本発明は、下記（ａ）成分及び（ｂ）成分を含有し、組成物中の（ｂ）成分の含有量が０．１〜１０質量％であり、２０℃におけるｐＨが４．０〜７．０である液体漂白洗浄剤組成物を提供する。
（ａ）過酸化水素又は水中で過酸化水素を生成する化合物
（ｂ）一般式（１）で表される４級アンモニウム塩
【０００９】
【化２】
2007039595.tif 000002
【００１０】
［式中、Ｒ11は、フェニル基を１個有する炭化水素基又は炭素数１〜６の直鎖若しくは分岐鎖の脂肪族炭化水素基であり、Ｒ12、Ｒ13及びＲ14は、それぞれ独立に、直鎖又は分岐鎖のアルキル基である。但し、Ｒ11、Ｒ12、Ｒ13及びＲ14の総炭素数は１５以下である。Ｘ-は、ハロゲンイオン若しくは炭素数１〜３のアルキル硫酸イオンである。］
また本発明は、更に、（ｃ）成分として漂白活性化剤を含有する、上記液体漂白洗浄剤組成物を提供する。
【００１１】
また本発明は、更に、（ｄ）成分としてホウ酸、ホウ砂及びホウ酸塩から選ばれる少なくとも１種の化合物、並びに（ｅ）成分として隣合う炭素原子の両方にそれぞれ１つヒドロキシル基を有する部位が１つ以上存在する化合物を含有し、（ｅ）成分／（ｄ）成分のモル比が１．５〜２．７である上記液体漂白洗浄剤組成物を提供する。
【００１２】
また本発明は、更に、（ｆ）成分としてホスホン酸基又はその塩基を有する金属イオン封鎖剤を含有する、上記液体漂白洗浄剤組成物を提供する。
【００１３】
また本発明は、更に、（ｇ）成分として、（ｂ）成分以外の界面活性剤を含有する、上記液体漂白洗浄剤組成物を提供する。
【発明の効果】
【００１４】
本発明の液体漂白洗浄剤組成物は、過酸化水素の安定性に優れ、過酸化水素に由来するガスの発生を防止する性能に優れている。
【発明を実施するための最良の形態】
【００１５】
［（ａ）成分］
本発明の液体漂白洗浄剤組成物は、（ａ）成分として過酸化水素又は水中で過酸化水素を生成する化合物を含有する。水中で過酸化水素を生成する化合物としては、過炭酸塩及び過ホウ酸塩等が挙げられる。
［（ｂ）成分］
本発明の液体漂白洗浄剤組成物は、（ｂ）成分として、前記一般式（１）で表される４級アンモニウム塩を含有する。
【００１６】
一般式（１）において、Ｒ11は、フェニル基を１個有する炭化水素基又は炭素数１〜６の直鎖若しくは分岐鎖の脂肪族炭化水素基であり、フェニル基を１個有する炭化水素基としては、フェニル基、ベンジル基等が挙げられる。Ｒ11としては、炭素数１〜６のアルキル基、フェニル基又はベンジル基が好ましく、炭素数２〜６のアルキル基が更に好ましい。Ｒ12、Ｒ13及びＲ14は、それぞれ独立に、直鎖又は分岐鎖のアルキル基であり、炭素数１〜３のアルキル基が好ましく、メチル基が更に好ましい。Ｒ11、Ｒ12、Ｒ13及びＲ14の総炭素数は１５以下であるが、４〜１２が更に好ましい。
【００１７】
Ｘ-は、ハロゲンイオン若しくは炭素数１〜３のアルキル硫酸イオンであるが、塩素イオン、メチル硫酸イオン、エチル硫酸イオンが好ましい。
【００１８】
（ｂ）成分の具体例としては、エチルトリメチルアンモニウム塩；ヘキシルトリメチルアンモニウム塩；ベンジルトリメチルアンモニウム塩；フェニルトリメチルアンモニウム塩が挙げられる。過酸化水素の安定性に優れるという効果に加え、高い漂白効果が得られるという観点から、エチルトリメチルアンモニウム塩又はヘキシルトリメチルアンモニウム塩が好ましい。
【００１９】
［液体漂白洗浄剤組成物］
本発明の液体漂白洗浄剤組成物は、必須成分として、（ａ）成分及び（ｂ）成分を含有する。本発明の組成物中の（ａ）成分の含有量は、過酸化水素として、０．１〜３０質量％が好ましく、０．５〜５質量％がより好ましく、１〜４．５質量％が更に好ましい。このような範囲において優れた漂白効果を得ることができる。本発明の組成物中の（ｂ）成分の含有量は、優れた過酸化水素の安定性を得る観点から、０．１〜１０質量％であり、０．２〜５質量％が好ましく、０．３〜３質量％がより好ましい。
【００２０】
本発明の液体漂白洗浄剤組成物は、（ｃ）成分として漂白活性化剤を含有することが好ましい。（ｃ）成分の漂白活性化剤としては、アルカノイル基の炭素数が８〜１４のアルカノイルオキシベンゼンスルホン酸又はアルカノイルオキシベンゼンカルボン酸あるいはそれらの塩から選ばれる少なくとも１種が挙げられ、良好な貯蔵安定性を得る観点から、炭素数８〜１４の分岐アルカノイルオキシ基を有するアルカノイルオキシベンゼンスルホン酸又はアルカノイルオキシベンゼンカルボン酸あるいはそれらの塩が好ましく、アルカノイルオキシ基のエステル結合を形成する炭素原子のα位又はβ位に側鎖を有するアルカノイルオキシベンゼンスルホン酸又はアルカノイルオキシベンゼンカルボン酸あるいはそれらの塩が更に好ましい。
【００２１】
エステル結合を形成する炭素原子のα位又はβ位に側鎖を有するアルカノイルオキシ基としては、２−エチルヘキサノイル基、２−プロピルヘプタノイル基、３，５，５−トリメチルヘキサノイル基等が挙げられ、これら分岐アルカノイルオキシ基を有するベンゼンスルホン酸又はベンゼンカルボン酸（安息香酸）あるいはその塩が特に好ましい。塩としては、ナトリウム塩、カリウム塩、マグネシウム塩が好ましく、特にナトリウム塩が溶解性の点から好ましい。
【００２２】
（ｃ）成分の具体例としては、下記式（ｃ−１）〜（ｃ−４）で表される化合物が挙げられ、式（ｃ−１）〜（ｃ−２）で表される化合物が好ましい。
【００２３】
【化３】
2007039595.tif 000003
【００２４】
本発明の組成物中の（ｃ）成分の含有量は、優れた漂白効果を発現させる観点から、０．１〜１０質量％が好ましく、０．２〜５質量％がより好ましく、０．２〜２質量％が更に好ましい。
【００２５】
本発明の液体漂白洗浄剤組成物は、ｐＨジャンプ効果を賦与するため、即ち、保存時の組成物のｐＨ を低く維持し、使用場面での希釈時にはｐＨ値を高めるために、（ｄ）成分として、ホウ酸、ホウ砂及びホウ酸塩から選ばれる少なくとも１種の化合物、並びに（ｅ）成分として隣合う炭素原子の両方にそれぞれ１つヒドロキシル基を有する部位が１つ以上存在する化合物を、（ｅ）成分／（ｄ）成分のモル比が１．５〜２．７となる割合で含有することが好ましい。
【００２６】
（ｄ）成分のホウ酸塩としては、ホウ酸ナトリウム、ホウ酸カリウム、ホウ酸アンモニウム、４ホウ酸ナトリウム、４ホウ酸カリウム、４ホウ酸アンモニウム等が挙げられる。
【００２７】
（ｅ）成分の具体例としては下記（１）〜（４）の化合物が挙げられる。
【００２８】
（１）グリセリン、ジグリセリン、トリグリセリン、アルキル基の炭素数１〜１０のアルキルグリセリルエーテル、アルキルジグリセリルエーテル、アルキルトリグリセリルエーテル；エチレングリコール、１，２−プロピレングリコールから選ばれるグリセロール類又はグリコール類
（２）ソルビトール、マンニトール、マルチトース、イノシトール、フィチン酸から選ばれる糖アルコール類
（３）グルコース、アピオース、アラビノース、ガラクトース、リキソース、マンノース、ガロース、アルドース、イドース、タロース、キシロース、フルクトースから選ばれる還元糖類
（４）デンプン、デキストラン、キサンタンガム、グアガム、カードラン、プルラン、アミロース、セルロースから選ばれる多糖類。
【００２９】
本発明では、特に上記（２）の糖アルコール類が好適であり、特にソルビトールが安定性及び漂白／洗浄効果の点から好適である。なお、（３）の還元糖類については、過酸化水素の安定性に影響を及ぼす還元性のアルデヒド基が分子中に存在するために使用する場合には注意を要する。
【００３０】
本発明においては、保存時の液体漂白洗浄剤組成物の２０℃におけるｐＨを４．０〜７．０にする一方、使用時に水に希釈することでｐＨを上昇させることが好ましく、液体漂白洗浄剤組成物に対して１０００容積倍の水により希釈した場合の希釈液の２０℃におけるｐＨが、８．５以上１０．５未満、更に９以上９．５未満になることが良好な漂白／洗浄効果を得る観点から好ましい。このようなｐＨジャンプ効果を得るために、本発明の組成物中に（ｄ）成分と（ｅ）成分を上記の割合で配合することが好ましい。
【００３１】
ここで、（ｄ）成分と（ｅ）成分との間には下記のような平衡反応が存在する。
【００３２】
【化４】
2007039595.tif 000004
【００３３】
本発明においてはジ体がｐＨジャンプ系の主要成分であることが希釈溶液のｐＨを８．５以上１０．５未満にするために好適であり、液体漂白洗浄剤組成物中において、（ｄ）成分の７０〜１００モル％がジ体となっていることが好ましい。また十分なｐＨジャンプ効果、及び漂白／洗浄効果を得る観点から、モノ体となっている（ｄ）成分の割合は０〜５モル％が好ましく、（ｄ）成分中、ホウ酸、ホウ砂又はホウ酸塩として単独で存在する割合は０〜２５モル％が好適である。
【００３４】
また、（ｅ）成分が過剰に存在すると過酸化水素の安定性を損なうおそれがあるため、（ｄ）成分と（ｅ）成分の比率には注意が必要である。従って本発明では（ｅ）成分／（ｄ）成分のモル比（ただし、ホウ砂及び４ホウ酸ナトリウムの場合はホウ素原子を４個含むため、４当量と考える）が、好ましくは１．５〜２．７、より好ましくは２．０〜２．７、更に好ましくは２．２〜２．７の割合で混合することで、本発明の優れたｐＨジャンプ効果及び過酸化水素の安定性の両方を得ることができる。
【００３５】
なお、本発明では（ｄ）成分及び（ｅ）成分を液体漂白洗浄剤組成物に配合する場合には、液体漂白洗浄剤組成物中では上記モノ体及びジ体の化合物に変換されているため、本発明でいう（ｄ）成分及び（ｅ）成分の含有量とは、単独で存在する（ｄ）成分及び（ｅ）成分の含有量に、上記モノ体、ジ体の含有量から（ｄ）成分及び（ｅ）成分の量を換算した量を加えた量の合計を意味する。本発明の組成物中の（ｄ）成分の含有量は、ホウ素原子として、好ましくは０．０５〜１質量％、より好ましくは０．１５〜０．５質量％、更に好ましくは０．２〜０．４質量％である。本発明の組成物中の（ｅ）成分の含有量は、好ましくは３〜３５質量％、より好ましくは５〜３０質量％、更に好ましくは１０〜２０質量％である。
【００３６】
なお、変換されたモノ体、ジ体の含有量は、ホウ素（11Ｂ）のＮＭＲを用いることで算出することができる。
【００３７】
本発明の液体漂白洗浄剤組成物は、（ｆ）成分として、ホスホン酸基又はその塩基を有する金属イオン封鎖剤を含有することが好ましい。ホスホン酸基又はその塩基を有する金属イオン封鎖剤としては、エタン−１，１−ジホスホン酸、エタン−１，１，２−トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸から選ばれるホスホン酸又はこれらのアルカリ金属塩もしくはアルカノールアミン塩、２−ホスホノブタン−１，２−ジカルボン酸、１−ホスホノブタン−２，３，４−トリカルボン酸、α−メチルホスホノコハク酸から選ばれるホスホノカルボン酸又はこれらのアルカリ金属塩もしくはアルカノールアミン塩を挙げることができ、好ましくはホスホン酸又はこれらのアルカリ金属塩であり、特にエタン−１−ヒドロキシ−１，１−ジホスホン酸又はこれらのアルカリ金属塩が好ましい。
【００３８】
本発明の組成物中の（ｆ）成分の含有量は、より好ましいｐＨジャンプ効果を得る観点及び過酸化水素の安定性を得る観点から、０．０５質量％以上０．３質量％未満が好ましく、０．１〜０．２５質量％がより好ましく、０．１５〜０．２質量％が更に好ましい。
【００３９】
本発明の液体漂白洗浄剤組成物は、更に（ｇ）成分として、（ｂ）成分以外の界面活性剤を含有することが好ましい。本発明に用いられる界面活性剤としては、非イオン性界面活性剤、陰イオン性界面活性剤、陽イオン性界面活性剤、両性界面活性剤が挙げられる。本発明の組成物中の（ｇ）成分の含有量は、好ましくは１０〜５０質量％、より好ましくは１５〜４０質量％、特に好ましくは２０〜３５質量％である。このような範囲において優れた漂白洗浄効果を得ることができる。
【００４０】
（ｇ）成分としては、特に、漂白活性化剤の貯蔵安定性及び漂白洗浄効果の点から、オキシエチレン基及び／又はオキシプロピレン基を有するポリオキシアルキレンアルキルエーテル型非イオン性界面活性剤が好ましく、オキシエチレン基及びオキシプロピレン基を有するポリオキシアルキレンアルキルエーテル型非イオン性界面活性剤が更に好ましい。
【００４１】
上記非イオン性界面活性剤としては、漂白活性化剤の貯蔵安定性の観点から、下記一般式（２）で表される化合物が特に好ましい。
【００４２】
Ｒ1−Ｏ−(Ｃ2Ｈ4Ｏ)p−(Ｃ3Ｈ6Ｏ)q−(Ｃ2Ｈ4Ｏ)rＨ    （２）
〔式中、Ｒ1は炭素数８〜１８の炭化水素基であり、ｐ、ｑ及びｒはそれぞれ独立に１〜１０の数である。〕
一般式（２）において、Ｒ1は炭素数８〜１８、好ましくは１０〜１４の炭化水素基であり、より好ましくはアルキル基又はアルケニル基、更に好ましくはアルキル基である。ｐ、ｑ、ｒはそれぞれ独立に１〜１０の数であり、２〜８の数が好ましい。
【００４３】
また、本発明の組成物は、過酸化水素の安定性の点から、（ｈ）成分として過酸化水素安定化剤（ラジカルトラップ剤）を含有することが好ましい。ラジカルトラップ剤としては、一般的にフェノール誘導体が知られており、特開平１１−１８１４９２号公報等に開示されている。本発明では、フェノール誘導体としてフェノール性水酸基を有する化合物又はフェノール性水酸基のエステル誘導体、エーテル誘導体を好ましく用いることができる。このような化合物としては、具体的にクレゾール、チモール、クロロフェノール、ブロモフェノール、メトキシフェノール、ニトロフェノール、ヒドロキシ安息香酸、サリチル酸、ヒドロキシベンゼンスルホン酸、２，６−ジ第３ブチル−ｐ−クレゾール、ナフトール、ヒドロキノン、カテコール、ピロガロール、フェノキシエタノール等が挙げられる。この中で好ましい化合物は、G.E.Penketh,J.Appl.Chem.,Vol 7，512〜521頁（1957）に記載されている酸化還元電位（Ｏ．Ｐ．）０（２５℃）が０．３〜１．２５Ｖの化合物であり、より好ましくは０．６〜０．７５Ｖの化合物である。更に、配合のしやすさの点から、溶解度の高いラジカルトラップ剤がより効果的であり、前述した溶解性を示す疎水性パラメーターｌｏｇＰ値で３以下のものが好ましい。上述した酸化還元電位及び溶解性の点から、４−メトキシフェノール、４−ヒドロキシ安息香酸、ヒドロキノン、カテコールが好ましい。これらフェノール系ラジカルトラップ剤は１種を単独で用いても、２種以上を併用して用いてもよい。本発明の組成物中の（ｈ）成分の配合量は０．０１〜２．０質量％が好ましく、より好ましくは０．１〜１．０質量％である。
【００４４】
本発明の液体漂白洗浄剤組成物の２０℃におけるｐＨは４．０〜７．０、好ましくは４．２〜６．５、より好ましくは４．５〜５．５である。このようなｐＨに調整するためのｐＨ調整剤としては、塩酸や硫酸から選ばれる無機酸、水酸化ナトリウムや水酸化カリウムから選ばれる無機塩基を用いることが好ましい。
【００４５】
本発明の液体漂白洗浄剤組成物は、水に希釈して漂白／洗浄を行う方法に供され、希釈する水は液体漂白洗浄剤組成物に対して６００〜２０００質量倍、好ましくは７００〜１５００質量倍である。また、このような倍率で希釈された溶液の２０℃におけるｐＨが８．５以上１０．５未満、特に８．５以上９．５未満になることが好ましい。このような洗浄液を用いることにより優れた漂白／洗浄効果を得ることができる。
【実施例】
【００４６】
実施例１
下記成分を用い、表１及び表２に示す組成の液体漂白洗浄剤組成物を調製した。得られた液体漂白洗浄剤組成物について、過酸化水素の貯蔵安定性、漂白性能及びガス発生量を以下の方法により評価した。その結果を表１及び表２に示す。
【００４７】
＜配合成分＞
（ａ）成分
（ａ）−１；過酸化水素
（ｂ）成分
（ｂ）−１；エチルトリメチルアンモニウムクロリド
（ｂ）−２；ヘキシルトリメチルアンモニウムクロリド
（ｂ）−３；ベンジルトリメチルアンモニウムクロリド
（ｂ）−４；フェニルトリメチルアンモニウムクロリド
（ｃ）成分
（ｃ）−１；前記式（ｃ−２）で表される化合物
（ｃ）−２；前記式（ｃ−１）で表される化合物
（ｄ）成分
（ｄ）−１；ホウ酸
（ｅ）成分
（ｅ）−１；ソルビトール
（ｆ）成分
（ｆ）−１；エタン−１−ヒドロキシ−１，１−ジホスホン酸
（ｇ）成分
（ｇ）−１；ＣＨ3(ＣＨ2)11-Ｏ-(Ｃ2Ｈ4Ｏ)8-Ｈ
（ｇ）−２；ＣＨ3(ＣＨ2)11-Ｏ-(Ｃ2Ｈ4Ｏ)7-(Ｃ3Ｈ6Ｏ)2-(Ｃ2Ｈ4Ｏ)3Ｈ
（ｈ）成分
（ｈ）−１；４−メトキシフェノール
（ｈ）−２；４−ヒドロキシ安息香酸
＜過酸化水素の貯蔵安定性の評価法＞
液体漂白洗浄剤組成物を１００ｍＬガラス製サンプルビンに８０ｇ入れ、７０℃で２週間貯蔵した。貯蔵前後の液体漂白洗浄剤組成物を１/１０Ｎ過マンガン酸標準液で滴定し、有効酸素を求め下式により過酸化水素残存率を測定した。
【００４８】
【数１】
2007039595.tif 000005
【００４９】
＜漂白性能の評価法＞
４°ＤＨを液体漂白洗浄剤組成物１ｍＬと混合し１０００ｍＬに調製した後、ターゴトメータを用いて２０℃、８０ｒｐｍで、下記方法で調製した紅茶汚染布(４枚)の漂白洗浄処理を行った。処理前後の布表面の反射率を測定し、下式により漂白率を求めた。
【００５０】
・紅茶汚染布の調製
日東紅茶（黄色パッケージ）８０ｇを３リットルのイオン交換水にて約１５分間煮沸後、糊抜きしたサラシ木綿でこし、この液に木綿金布＃２００３布を浸し、約１５分間煮沸する。そのまま火よりおろし、２時間程度放置後自然乾燥させ、洗液に色のつかなくなるまで水洗し、脱水、プレス後、１０ｃｍ×１０ｃｍの試験布とし、実験に供した。
【００５１】
【数２】
2007039595.tif 000006
【００５２】
＜ガス発生量の測定法＞
液体漂白洗浄剤組成物を図１に示すガラス容器１（内容物１０００ｍＬ）に充填し、５０℃の恒温室に１ヶ月間静置し、発生したガス量（ｍＬ）を目盛り２（１００ｍＬまで測定可能）により測定する。
【００５３】
【表１】
2007039595.tif 000007
【００５４】
【表２】
2007039595.tif 000008
【図面の簡単な説明】
【００５５】
【図１】実施例において、ガス発生量の測定に用いた装置である。
【符号の説明】
【００５６】
１  ガラス容器
２  目盛り
【図１】
2007039595.tif 000011